(57)【要約】  個人の運動管理方法を提供する。本方法は、セットトップボックス（１０２）を少なくとも１つのテレビディスプレイ（１０４）、スピーカー（１０６）、第１のネットワーク（１１０）、遠隔局（１２４）、及び１つ以上の無線センサー（１０８）に機能的に接続する段階、１つ以上の無線センサー（１０８）で個人の１つ以上の生体信号を測定する段階、１つ以上の生体信号を１つ以上の無線センサー（１０８）からセットトップボックス（１０２）へ無線で送信する段階、遠隔局（１２４）をセットトップボックス（１０２）に第１のネットワーク（１１０）を通じて機能的に接続する段階、並びに１つ以上の生体信号をセットトップボックス（１０２）から遠隔局（１２４）へ第１のネットワーク（１１０）を通じて送信する段階を有する。
2007505675.tif 000002
【特許請求の範囲】
【請求項１】
個人の運動管理システムであって；
少なくとも１つのテレビディスプレイ及びスピーカーに機能的に接続され、第１のネットワークに更に機能的に接続されているセットトップボックス；
前記セットトップボックスに無線で接続されており、個人の１つ以上の生体信号を測定し、同一の信号を前記セットトップボックスへ送信する、１つ以上の無線センサー；
を有する、運動管理システム。
【請求項２】
遠隔局を前記セットトップボックスに前記第１のネットワークを通じて機能的に接続する通信手段を更に有し、前記１つ以上の生体信号は、前記セットトップボックスから前記前記遠隔局へ第１のネットワークを通じて送信される、請求項１記載の運動管理システム。
【請求項３】
前記第１のネットワークはインターネットである、請求項１記載の運動管理システム。
【請求項４】
前記遠隔局はヘルスクラブの場所にある、請求項２記載の運動管理システム。
【請求項５】
能力特性を少なくとも１つの運動器具から前記セットトップボックスへ送信するよう、前記セットトップボックスに遠隔局を経由して機能的に接続される、前記少なくとも１つの運動器具を更に有する、請求項２記載の運動管理システム。
【請求項６】
前記セットトップボックスは、前記送信された能力特性を格納する記憶装置を更に有する、請求項５記載の運動管理システム。
【請求項７】
前記通信手段は、前記能力特性を前記遠隔局へ前記第１のネットワークを通じて更に送信する、請求項５記載の運動管理システム。
【請求項８】
前記セットトップボックスは医療専門家と第２のネットワークを通じて連絡する手段を有する、請求項１記載の運動管理システム。
【請求項９】
前記第２のネットワークは、電話網である、請求項８記載の運動管理システム。
【請求項１０】
個人のビデオ信号を前記遠隔局へ送信するよう、前記セットトップボックスに機能的に接続される第１のビデオカメラを更に有する、請求項２記載の運動管理システム。
【請求項１１】
前記テレビディスプレイ上に表示するために、前記遠隔局における１人以上の個人のビデオ信号を前記セットトップボックスへ送信するよう、前記遠隔局に機能的に接続される第２のビデオカメラを更に有する、請求項２記載の運動管理システム。
【請求項１２】
個人の運動管理方法であって；
セットトップボックスを、少なくとも１つのテレビディスプレイ、スピーカー、第１のネットワーク、遠隔局、及び１つ以上の無線センサーに機能的に接続する段階；
個人の１つ以上の生体信号を前記１つ以上の無線センサーで測定する段階；
前記１つ以上の生体信号を前記１つ以上の無線センサーから前記セットトップボックスへ送信する段階；
前記遠隔局を前記セットトップボックスに前記第１のネットワークを通じて機能的に接続する段階；及び
前記１つ以上の生体信号を前記セットトップボックスから前記遠隔局へ前記第１のネットワークを通じて送信する段階；
を有する、運動管理方法。
【請求項１３】
少なくとも１つの運動器具を、前記セットトップボックスに前記遠隔局を経由して機能的に接続する段階；及び
能力特性を、少なくとも１つの運動器具から前記セットトップボックスへ送信する段階；
を更に有する、請求項１２記載の運動管理方法。
【請求項１４】
前記送信された能力特性を、前記セットトップボックスに機能的に接続される記憶装置に格納する段階を更に有する、請求項１３記載の運動管理方法。
【請求項１５】
前記能力特性を、前記遠隔局へ前記第１のネットワークを通じて送信する段階を更に有する、請求項１３記載の運動管理方法。
【請求項１６】
第２のネットワークを通じて、前記セットトップボックスから医療専門家と連絡する段階を更に有する、請求項１２記載の運動管理方法。
【請求項１７】
個人のビデオ信号を、前記セットトップボックスに機能的に接続される第１のビデオカメラから前記遠隔局へ送信する段階を更に有する、請求項１２記載の運動管理方法。
【請求項１８】
前記遠隔局における１人以上の個人のビデオ信号を、遠隔局に機能的に接続される第２のビデオカメラから、前記セットトップボックスへ、前記テレビディスプレイ上に表示するために送信する段階を更に有する、請求項１７記載の運動管理方法。
【請求項１９】
前記遠隔局から少なくとも１つのテレビディスプレイ及びスピーカー上で、前記送信された少なくとも１つの生体信号の少なくとも部分に基づき、個人を指導する段階を更に有する、請求項１２記載の運動管理方法。
【請求項２０】
前記遠隔局から少なくとも１つのテレビディスプレイ及びスピーカー上で、前記送信された能力特性の少なくとも部分に基づき、個人を指導する段階を更に有する、請求項１３記載の運動管理方法。
【請求項２１】
少なくとも１人の別の運動する個人の能力又は別の個人の能力特性を、テレビディスプレイ上に表示する段階を更に有し、個人が前記別の個人の能力と競争出来るようにする、請求項１２記載の運動管理方法。
【請求項２２】
個人の能力特性を前記テレビディスプレイ上に表示する段階を更に有する、請求項１２記載の運動管理方法。
【発明の詳細な説明】
【技術分野】
【０００１】
本発明は、一般的に運動管理に関連し、より詳細にはセットトップボックスを通じた個人の運動管理システムに関する。
【背景技術】
【０００２】
初心者のような人々は運動中に監督を必要とする。一般的に個人トレーナーのような運動管理の専門家は、スポーツジムやヘルスクラブにおける個人の行程を管理し、提案、又は改善のための助言を行う。しかしながらそのような運動管理の専門家による監督は、非常に高価である。更に、特に高齢者の場合には、運動中に医学的監督が不可欠な場合がある。
【０００３】
従来知られているコンピューターを利用した技術には、運動する個人の運動管理を行うパーソナルコンピュータ等がある。しかしながら、コンピューターは常に作動しておらず、常に個人の家の便利な場所に置かれておらず、またキーボードやマウス等の種々の入力装置を通じて比較的複雑な入力を必要とするので、そのようなシステムは非常に使い易くはない。
【発明の開示】
【発明が解決しようとする課題】
【０００４】
本発明の目的は、従来の運動管理システムの不利点を克服する運動管理システムを提供することである。
【課題を解決するための手段】
【０００５】
個人の運動管理システムを提供する。本システムは、少なくとも１つのテレビディスプレイ及びスピーカーと機能的に接続され、第１のネットワークに更に機能的に接続されるセットトップボックス、前記セットトップボックスに無線接続されており、個人の１つ以上の生体信号を測定し、同一の信号を前記セットトップボックスに送信する、１つ以上の無線センサーを有する。前記第１のネットワークは、インターネットでよい。
【０００６】
本システムは、前記遠隔局を前記第１のネットワークを通じて前記セットトップボックスに機能的に接続する手段を更に有する。前記１つ以上の生体信号は、前記セットトップボックスから前記遠隔局へ前記第１のネットワークを通じて送信される。前記遠隔局は、ヘルスクラブに設置されて良い。本システムは、前記セットトップボックスに前記遠隔局を通じて機能的に接続され、少なくとも１つの運動器具からセットトップボックスへ能力特性を送信する少なくとも１つの運動器具を更に有する。前記セットトップボックスは、前記送信された能力特性を蓄積する記憶装置を更に有してよい。前記通信手段は、前記能力特性を、前記遠隔局へ前記第１のネットワークを通じ更に送信して良い。本システムは、前記セットトップボックスに機能的に接続される第１のビデオカメラを更に有し、個人のビデオ信号を前記遠隔局へ送信する。本システムはまた、前記遠隔局と機能的に接続される第２のビデオカメラを更に有し、前記遠隔局の一人以上の個人のビデオ信号を、前記セットトップボックスに送信し、前記テレビディスプレイに表示して良い。
【０００７】
前記セットトップボックスは、医療専門家と第２のネットワークを通じて連絡する手段を有して良い。第２のネットワークは、電話網であって良い。
【０００８】
また、個人の運動管理方法を提供する。本方法は、セットトップボックスを少なくとも１つのテレビディスプレイ、スピーカー、第１のネットワーク、遠隔局、及び１つ以上の無線センサーに機能的に接続する段階、前記１つ以上の無線センサーを有する個人の１つ以上の生体信号を測定する段階、前記１つ以上の生体信号を前記１つ以上の無線センサーから前記セットトップボックスへ無線で送信する段階、前記遠隔局を前記セットトップボックスに前記第１のネットワークを通じて機能的に接続する段階、並びに前記１つ以上の生体信号を前記セットトップボックスから前記遠隔局へ前記第１のネットワークを通じて送信する段階を有する。
【０００９】
本方法は、少なくとも１つの運動器具を、前記セットトップボックスに機能的に前記遠隔局を通じて接続する段階、及び能力特性を前記少なくとも１つの運動器具から前記セットトップボックスに送信する段階を有する。その場合、本方法は、前記送信された能力特性を前記セットトップボックスと機能的に接続された記憶装置に格納する段階を更に有して良い。本方法はまた、前記能力特性を前記遠隔局へ前記第１のネットワークを通じて送信する段階を更に有して良い。
【００１０】
本方法は、医療専門家と第２のネットワークを通じて前記セットトップボックスから連絡する段階を更に有して良い。
【００１１】
本方法は、個人のビデオ信号を、前記遠隔局へ、前記セットトップボックスに機能的に接続された第１のビデオカメラから送信する段階を更に有して良い。その場合、本方法は、前記遠隔局の一人以上の個人のビデオ信号を、前記テレビディスプレイに表示するよう、前記遠隔局に機能的に接続された第２のビデオカメラから前記セットトップボックスに送信する段階を更に有しても良い。
【００１２】
本方法は、少なくとも１つのテレビディスプレイ及びスピーカーを用い、前記送信された少なくとも１つの生体信号に基づき、遠隔局から個人を指導する段階を更に有して良い。
【００１３】
前記セットトップボックスが運動器具に更に接続される場合、本方法は、少なくとも１つのテレビディスプレイ及びスピーカー上で、前記送信された能力特性に基づき、遠隔局から個人を指導する段階を更に有して良い。
【００１４】
本方法は、別の運動する個人の少なくとも１つの性能又は前記別の個人の能力特性を、テレビディスプレイ上に表示し、個人が別の個人の性能と競争出来るようにする段階を更に有して良い。
【００１５】
本方法は、個人の能力特性を前記テレビディスプレイに表示する段階を更に有して良い。
【発明の効果】
【００１６】
本発明の装置及び方法のこれらの及び他の特徴、特長、及び利点は、以下の説明、請求項、及び図を参照してより理解されるだろう。
【実施例】
【００１７】
図１は、個人の運動管理システムを示す。このシステムは参照符号１００を付される。システム１００は、少なくとも１つのテレビディスプレイ１０４及びスピーカー１０６に機能的に接続されるセットトップボックス１０２を有する。システム１００は、テレビディスプレイ１０４及びスピーカー１０６の両方を有することが望ましい。更に、スピーカー１０６は、テレビディスプレイ１０４と一体化又はサラウンド・サウンド／ホームシアターシステムのように分離されてよい。セットトップボックス１０２はまた、以下に説明される機能に加え、ケーブルテレビのチューナー又はＰＶＲ（パーソナルビデオレコーダー）等のテレビに関連した他の機能のために利用されても良い。
【００１８】
本システムはまた、１つ以上の無線センサー１０８を有し、個人の生体信号を測定し、同一の信号をセットトップボックス１０２へ無線で送信する。１つ以上の無線センサーは、セットトップボックス１０２に無線で接続される。１つ以上の生体信号は、脈拍、血圧、及び類似のものであって良い。無線センサー１０８は、ＲＦ又は赤外線等の如何なる無線媒体を通じて、及びＢｌｕｅｔｏｏｔｈ、ＲＦＩＤ、又はＺｉｇｂｅｅ等の如何なる無線プロトコルによってセットトップボックス１０２と通信しても良い。無線センサー１０８は、軽量で個人により装着可能な、又は重量で単独型の装置であって良い。
【００１９】
図２は、セットトップボックス１０２の詳細な図である。セットトップボックス１０２は、モデム１１２を通じて、インターネット１１０等のネットワークに更に機能的に接続される。但し、電話サ―ビス（ＰＯＴＳ）１１４、携帯電話、及び衛星等の他の遠隔ネットワークも可能である。単一のモデム１１２は図２に示されるが、当業者は１つ以上のモデムが利用されて良く、各モデムは異なるネットワークへの接続に特化して良い事を理解するだろう。例えば、ケーブルモデムを用いインターネット１１０に接続して良く、ダイヤルアップモデムを用い電話網１１４に接続して良い。インターネット１１０を用い、体育指導者若しくは体育療法士及び類するものを含む医療管理の専門家等の、データホスト１２２、又は遠隔局１２４に接続して良い。電話網１１４を用い、医師又は看護婦等の医療専門家に接続しても良く、救急医療師又は救急車サービス等の救急サービス１２６に更に連絡して良い。
【００２０】
セットトップボックス１０２はまた、ハードドライブ等の記憶装置１１６を有し、セットトップボックス１０２の他の機能と同様に、本発明の方法を実行するプログラム命令を格納する。記憶装置１１６はまた、ビデオコンテンツ及び／又はユーザープロファイルを格納するために用いられて良い。記憶装置１１６は単一の装置として示されるが、当業者は、記憶装置１１６は複数の記憶装置であって良く、各記憶装置は異なる型のデータの格納に特化して良いことを理解するだろう。セットトップボックス１０２は、アンテナ１１８により示される送信部／受信部を更に有する。アンテナ１１８は、無線センサー１０８から無線信号を受信し、この信号は必要ならば処理装置１２０により有用な信号に加工、フォーマット、及び／又は変換される。処理装置１２０はまた、従来技術で既知のように、モデム１１２、記憶装置１１６、テレビディスプレイ１０４，及びスピーカー１０６を制御する。アンテナ１１８は、無線センサー１０８と一緒に利用されることに特化して良く、又はセットトップボックス１０２の他の機能と組み合わせて利用されて良く、遠隔制御部（図示されていない）からの無線信号を受信し、セットトップボックス１０２と共に利用して良い。遠隔制御部を用い、セットトップボックス１０２を制御して良く、従来技術で既知のように適切なユーザーインタフェースを通じて、情報をセットトップボックス１０２へ入力して良い。
【００２１】
再び図１を参照すると、システム１００は、２輪車、ステップマシン、ローイングマシン、又はトレッドミル等の運動器具１２８を更に有して良い。運動器具１２８は、セットトップボックス１０２に（有線又は無線で）機能的に接続され、能力特性を運動器具１２８からセットトップボックス１０２へ送信して良い。能力特性は、運動器具の如何なる特性であっても良く、その器具における個人の能力を示す。運動器具１２８が２輪車の場合、能力特性はペダルのＰＲＭ、単位時間あたりのＰＲＭの変化、活動の特定の周期、及び類似のものであって良い。能力特性は、セットトップボックス１０２内の記憶装置１１６に格納され、及び／又は遠隔局１２４へネットワーク１１０を経由して送信されて良い。
【００２２】
システム１００はまた、セットトップボックス１０２の場所に設置され処理装置１２０に機能的に接続される、１つ以上のビデオカメラ１３０を備えて良い。カメラ１３０は、運動に従事し監視されている個人の画像又はビデオを撮る際に有用である。カメラ１３０は、個人の家の１つ以上の部屋に備えられて良く、パン・チルト・ズーム機能を有して良く、個人が他の運動又は他の運動器具へと部屋内を移動するにつれ、その個人を追跡する。カメラ１３０は、個人を認識し追跡できる認識システムの制御下にあって良く、個人をカメラ１３０の視界内に保持するようカメラのパン・チルト・ズームモーターを制御して良い。このような認識システムは、従来技術において既知である。システム１００はまた、遠隔局に１つ以上のカメラ１３２を有し、遠隔局における個人指導者等の個人の画像又はビデオを撮る。遠隔局１２４にあるカメラ１３２は、カメラ１３０と共に以上に説明された、パン・チルト・ズーム及び認識機能を有して良い。
【００２３】
個人の運動管理方法は、図１及び図２を参照して説明する。以上に説明したように、セットトップボックス１０２はインターネット１１０等のネットワークと、運動管理専門家等の遠隔局１２４と、モデム１１２を経由して機能的に接続されている。セットトップボックス１０２はまた、少なくとも１つのテレビディスプレイ１０４及びスピーカー１０６、又は望ましくは両方と、処理装置１２０を経由して機能的に接続される。セットトップボックス１０２は、センサー１０８に、アンテナ１１８及び処理装置１２０を経由して、無線で更に接続される。センサー１０８は個人の少なくとも１つの生体信号を検出し、セットトップボックス１０２に同一の信号を送信する。検出された生体信号は、セットトップボックス１０２から遠隔局１２４へ、ネットワーク１１０を経由して送信される。ネットワークでは、生体信号は遠隔局１２４において、体育指導者又は体育療法士のような、個人によりアクセスできる。１つ以上の生体信号は、リアルタイムにアクセスでき、従って、迅速で適宜な決定、提案、助言、等を、監視されている人にとって一番利益になるよう行えるようにする。運動管理の専門家は、通常はディスプレイ画面上で生体信号情報にアクセスするだろう。ディスプレイ画面は、ネットワーク１１０に機能的に接続されるコンピュータ（図示されない）の部分であることが望ましい。個人の生体信号の履歴は、記憶装置１１６に格納でき、運動管理専門家によりアクセス（例えば、印刷）でき、個人の進捗を判断し、又は生体信号に異常がある場合は、医療専門家に警告する。生体信号に異常がある場合、又は個人とのテレビ会議の間に危険な状況が検出された場合は（以下に説明するように）、遠隔局１２４の運動管理専門家は、セットトップボックス１０２に指示し、緊急サービス１２６等の医療専門家に、電話網１１４のような別のネットワークを通じて連絡する。従って、運動管理専門家が差し迫った危険な状況に気付いた場合、運動管理専門家はセットトップボックス１０２に指示し、警察、救急医療師、又は救急車に連絡する。緊急サービスの連絡先は、適切なユーザーインターフェースを通じて、予め記憶装置１１６に格納される。個人はまた、医師又はヘルスクラブへ行く時に、（運動中の）自分の生体信号の履歴を持ち出すことができる。
【００２４】
システム１００は、遠隔局（例えば、体育療法士又は指導者）の個人と、カメラ１３０、１３２を用いて監視されている個人との間のテレビ会議を提供するために利用されても良い。従って、カメラ１３０からの個人のビデオ信号は、セットトップボックス１０２から遠隔局へ、ネットワーク１１０を経由して送信され、そして遠隔局１２４のディスプレイ装置（図示されない）に表示される。同様に、カメラ１３２からの運動管理専門家のビデオ信号は、遠隔局１２４からセットトップボックス１０２へ送信され、テレビディスプレイ１０４上に表示される。このように、運動管理専門家及び監視されている個人は、テレビ会議を行い、意見、提案、助言、及び／又は質問を交換できる。
【００２５】
セットトップボックス１０２には、テレビディスプレイ１０４及び／又はスピーカー１０６上で、人工の指導者を生成する手段を設け、助言を提供し、個人のトレーニングを促進しても良い。検出された生体信号は、人工の指導者と共にテレビ画面１０４上に表示できる。セットトップボックス１０２はまた、能力特性に基づく性能曲線を生成でき、同一の曲線をテレビディスプレイ１０４上に表示できる。
【００２６】
個人はまた、遠隔局１２４からの運動管理専門家、及びテレビディスプレイ１０４上に表示された個人の好み、及び／又はスピーカー１０６上で再生された個人の音声から直接指導されることもできる。人工の指導者又は運動管理専門家による指導は、テレビディスプレイ１０４上に表示できる、検出された生体信号及び／又は能力特性に基づくことができる。
【００２７】
セットトップボックス１０２はまた、テレビディスプレイ１０４上に別の運動する個人の能力を表示でき（別の個人はシステム１００に類似のその個人のシステムを有するとする）、その個人は他の個人の能力と競争できる。運動する別の個人の表示に代わり又は加えて、セットトップボックス１０２は、テレビディスプレイ１０４上に別の個人の能力特性を表示できる。そして、場合により、同一のテレビディスプレイ１０４上に個人の能力特性を表示することにより、個人は他の個人の能力特性と直接競争できる。セットトップボックスは、個人の以前の能力特性をテレビディスプレイ上に表示できるので、個人は自分の過去の能力を向上させるよう挑戦できる。
【００２８】
当業者は、本発明のシステム１００は、従来既知のコンピューターに基づく運動管理システムに利益を提供する事を理解するだろう。それら利益には以下が含まれる。
【００２９】
（ａ）セットトップボックス１０２は、待機状態を維持でき、テレビディスプレイ１０４又はスピーカー１０６がオフの場合、それらを「起こす」ことができ、
（ｂ）指示及びデータは、例えば、遠隔操作又は適切なユーザーインターフェースを通じて、セットトップボックス１０２に比較的簡単に入力でき、
（ｃ）テレビディスプレイ１０４がオフの場合、システム１００は、スピーカー１０６を通じて依然として動作でき、
（ｄ）テレビディスプレイは、コンピューターより運動に便利な位置に設置される。
【００３０】
本発明の好適な実施の形態と考えられる事を示し説明したが、勿論、本発明の精神から逸脱することなく、形状又は詳細において種々の変形及び変更が容易にできることが理解されるだろう。従って、本発明は説明及び図示された正確な形式に制限されず、請求の範囲に含まれる全ての変形を包含するものとする。
【図面の簡単な説明】
【００３１】
【図１】運動管理システムのある実施例を示すブロック図である。
【図２】図１のシステムと共に利用するためのセットトップボックスのブロック図である。
【図１】
2007505675.tif 000003
【図２】
2007505675.tif 000004
【国際調査報告】
2007505675.tif 000005
2007505675.tif 000006
2007505675.tif 000007